【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】
複数の記録層を持ち、再生面からレーザスポットを照射して前記複数の記録層に記録した情報を再生可能な片面多層光ディスクにバーコードを記録するバーコード記録装置であって、
前記再生面にレーザ光を開口数（ＮＡ）が０．５＜ＮＡ＜０．８５の対物レンズを介して照射し、ディスク記録層上の半径方向に長い直線状のレーザスポットを形成する高出力半導体レーザと、前記光ディスクの回転角に同期をかけながら前記高出力半導体レーザのレーザ出力をパルス状に変化させるレーザドライバ回路と、前記レーザスポットを任意の記録層上に焦点合わせを行う多層フォーカス制御回路と、記録層上に形成させた直線状のレーザスポットの半径方向出力分布の平均直線の一方端と他方端の出力比を０．９〜０．３の勾配とし、且つ前記半径方向出力分布の最大となる一端を半径送りの進行方向側に設定する光学系とを備えることを特徴とするバーコード記録装置。
【請求項２】
複数の記録層を持ち、再生面からレーザスポットを照射して前記複数の記録層に記録した情報を再生可能な片面多層光ディスクにバーコードを記録するバーコード記録装置であって、
前記再生面と逆側の裏面にレーザ光を開口数（ＮＡ）が０．５＜ＮＡ＜０．８５の対物レンズを介して照射し、ディスク記録層上の半径方向に長い直線状のレーザスポットを形成する高出力半導体レーザと、前記光ディスクの回転角に同期をかけながら前記高出力半導体レーザのレーザ出力をパルス状に変化させるレーザドライバ回路と、前記レーザスポットを任意の記録層上に焦点合わせを行う多層フォーカス制御回路と、記録層上に形成させたレーザスポットの半径方向出力分布の平均直線の一方端と他方端の出力比を０．９〜０．３の勾配とし、且つ前記半径方向出力分布の最大となる一端を半径送りの進行方向側に設定する光学系と、前記レーザドライバ回路に対してバーコードとして記録するディスク１回転分のシリアルデータ羅列群を時間的に逆送又は順送させるデータ処理回路と、前記光ディスクの回転方向を正転又は逆転して駆動するモータドライバー回路とを備えることを特徴とするバーコード記録装置。
【請求項３】
光ディスクにバーコードを記録するバーコード記録装置であって、
再生面と逆側の裏面にレーザ光を対物レンズを介して照射し、ディスク記録層上の半径方向に長い直線状のレーザスポットを形成する高出力半導体レーザと、前記光ディスクの回転角に同期をかけながら前記高出力半導体レーザのレーザ出力をパルス状に変化させるレーザドライバ回路と、前記レーザスポットを記録層上に焦点合わせを行うフォーカス制御回路とを備えることを特徴とするバーコード記録装置。
【請求項４】
前記レーザドライバ回路が、高出力半導体レーザからパルス状に発光させるレーザ出力のパルス立ち上がり部分を所定のオーバーシュート率にオーバーシュートさせることを特徴とする請求項１又は２又は３記載のバーコード記録装置。
【請求項５】
複数の記録層を持ち、再生面からレーザスポットを照射して前記複数の記録層に記録した情報を再生可能な片面多層光ディスクにバーコードを記録するバーコード記録方法であって、
高出力半導体レーザから照射されるレーザ光を前記再生面にレーザ光を開口数（ＮＡ）が０．５＜ＮＡ＜０．８５の対物レンズを介して任意の記録層上に焦点合わせを行いながらディスク記録層上の半径方向に長い直線状のレーザスポットを形成すると共に、前記光ディスクの回転角に同期をかけながら前記高出力半導体レーザのレーザ出力をパルス状に変化させるとき、ディスク記録層上に形成させたレーザスポットの半径方向出力分布の平均直線の一方端と他方端の出力比を０．９〜０．３の勾配とし、且つ前記半径方向出力分布の最大となる一端を半径送りの進行方向側に設定することを特徴とするバーコード記録方法。
【請求項６】
複数の記録層を持ち、再生面からレーザスポットを照射して前記複数の記録層に記録した情報を再生可能な片面多層光ディスクにバーコードを記録するバーコード記録方法であって、
高出力半導体レーザから照射されるレーザ光を前記再生面と逆側の裏面にレーザ光を開口数（ＮＡ）が０．５＜ＮＡ＜０．８５の対物レンズを介して任意の記録層上に焦点合わせを行いながらディスク記録層上の半径方向に長い直線状のレーザスポットを形成すると共に、前記光ディスクの回転角に同期をかけながら前記高出力半導体レーザのレーザ出力をパルス状に変化させるとき、ディスク記録層上に形成させたレーザスポットの半径方向出力分布の平均直線の一方端と他方端の出力比を０．９〜０．３の勾配とし、且つ前記半径方向出力分布の最大となる一端を半径送りの進行方向側に設定し、更にバーコードとして記録するディスク１回転分のシリアルデータ羅列群を時間的に逆送又は順送させ、且つ前記光ディスクの回転方向を正転又は逆転することを特徴とするバーコード記録方法。
【請求項７】
レーザスポットを形成する高出力半導体レーザと、光ディスクの回転角に同期をかけながら前記高出力半導体レーザのレーザ出力をパルス状に変化させるレーザドライバ回路と、前記レーザスポットを記録層上に焦点合わせを行うフォーカス制御回路とを備え、光ディスクにバーコードを記録するバーコード記録装置のバーコード記録方法であって、
高出力半導体レーザが再生面と逆側の裏面にレーザ光を対物レンズを介して照射すると共にディスク記録層上の半径方向に長い直線状のレーザスポットを形成し、且つ前記フォーカス制御回路がレーザスポットを記録層上に焦点合わせを行った状態で、前記レーザドライバ回路が光ディスクの回転角に同期をかけながらレーザ出力をパルス状に変化させることを特徴とするバーコード記録方法。
【請求項８】
前記高出力半導体レーザからパルス状に発光させるレーザ出力のパルス立ち上がり部分を所定のオーバーシュート率にオーバーシュートさせることを特徴とする請求項５又は６又は７記載のバーコード記録方法。
【手続補正２】
【補正対象書類名】明細書
【補正対象項目名】００１０
【補正方法】変更
【補正の内容】
【００１０】
また本発明は、複数の記録層を持ち、再生面からレーザスポットを照射して前記複数の記録層に記録した情報を再生可能な片面多層光ディスクにバーコードを記録するバーコード記録装置において、前記再生面と逆側の裏面にレーザ光を開口数（ＮＡ）が０．５＜ＮＡ＜０．８５の対物レンズを介して照射し、ディスク記録層上の半径方向に長い直線状のレーザスポットを形成する高出力半導体レーザと、前記光ディスクの回転角に同期をかけながら前記高出力半導体レーザのレーザ出力をパルス状に変化させるレーザドライバ回路と、前記レーザスポットを任意の記録層上に焦点合わせを行う多層フォーカス制御回路と、ディスク記録層上に形成させたレーザスポットが半径方向出力分布の平均直線の一方端と他方端の出力比を０．９〜０．３の勾配とし、且つ前記半径方向出力分布の最大となる一端を半径送りの進行方向側に設定する光学系と、前記レーザドライバ回路に対してバーコードとして記録するディスク１回転分のシリアルデータ羅列群を時間的に逆送又は順送させるデータ処理回路と、前記光ディスクの回転方向を逆転又は正転して駆動するモータドライバー回路とを備えることを第２の特徴とし、光ディスクにバーコードを記録するバーコード記録装置であって、再生面と逆側の裏面にレーザ光を対物レンズを介して照射し、ディスク記録層上の半径方向に長い直線状のレーザスポットを形成する高出力半導体レーザと、前記光ディスクの回転角に同期をかけながら前記高出力半導体レーザのレーザ出力をパルス状に変化させるレーザドライバ回路と、前記レーザスポットを記録層上に焦点合わせを行うフォーカス制御回路とを備えることを第３の特徴とし、前記何れかのバーコード記録装置において、前記レーザドライバ回路が、高出力半導体レーザからパルス状に発光させるレーザ出力のパルス立ち上がり部分を所定のオーバーシュート率にオーバーシュートさせることを第４の特徴とする。
【手続補正３】
【補正対象書類名】明細書
【補正対象項目名】００１１
【補正方法】変更
【補正の内容】
【００１１】
更に本発明は、複数の記録層を持ち、再生面からレーザスポットを照射して前記複数の記録層に記録した情報を再生可能な片面多層光ディスクにバーコードを記録するバーコード記録方法において、高出力半導体レーザから照射されるレーザ光を前記再生面にレーザ光を開口数（ＮＡ）が０．５＜ＮＡ＜０．８５の対物レンズを介して任意の記録層上に焦点合わせを行いながらディスク記録層上の半径方向に長い直線状のレーザスポットを形成すると共に、前記光ディスクの回転角に同期をかけながら前記高出力半導体レーザのレーザ出力をパルス状に変化させるとき、ディスク記録層上に形成させたレーザスポットの半径方向出力分布の平均直線の一方端と他方端の出力比を０．９〜０．３の勾配とし、且つ前記半径方向出力分布の最大となる一端を半径送りの進行方向側に設定することを第５の特徴とする。
【手続補正４】
【補正対象書類名】明細書
【補正対象項目名】００１２
【補正方法】変更
【補正の内容】
【００１２】
また本発明は、複数の記録層を持ち、再生面からレーザスポットを照射して前記複数の記録層に記録した情報を再生可能な片面多層光ディスクにバーコードを記録するバーコード記録方法において、高出力半導体レーザから照射されるレーザ光を前記再生面と逆側の裏面にレーザ光を開口数（ＮＡ）が０．５＜ＮＡ＜０．８５の対物レンズを介して任意の記録層上に焦点合わせを行いながらディスク記録層上の半径方向に長い直線状のレーザスポットを形成すると共に、前記光ディスクの回転角に同期をかけながら前記高出力半導体レーザのレーザ出力をパルス状に変化させるとき、ディスク記録層上に形成させたレーザスポットの半径方向出力分布の平均直線の一方端と他方端の出力比を０．９〜０．３の勾配とし、且つ前記半径方向出力分布の最大となる一端を半径送りの進行方向側に設定し、更にバーコードとして記録するディスク１回転分のシリアルデータ羅列群を時間的に逆送又は順送させ、且つ前記光ディスクの回転方向を逆転又は正転することを第６の特徴とし、レーザスポットを形成する高出力半導体レーザと、光ディスクの回転角に同期をかけながら前記高出力半導体レーザのレーザ出力をパルス状に変化させるレーザドライバ回路と、前記レーザスポットを記録層上に焦点合わせを行うフォーカス制御回路とを備え、光ディスクにバーコードを記録するバーコード記録装置のバーコード記録方法であって、高出力半導体レーザが再生面と逆側の裏面にレーザ光を対物レンズを介して照射すると共にディスク記録層上の半径方向に長い直線状のレーザスポットを形成し、且つ前記フォーカス制御回路がレーザスポットを記録層上に焦点合わせを行った状態で、前記レーザドライバ回路が光ディスクの回転角に同期をかけながらレーザ出力をパルス状に変化させることを第７の特徴とし、前記何れかのバーコード記録方法において、前記高出力半導体レーザからパルス状に発光させるレーザ出力のパルス立ち上がり部分を所定のオーバーシュート率にオーバーシュートさせることを第８の特徴とする。